【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
エアフィルタカートリッジであって、
（ａ）対向する、第１端部および第２端部であって、
（ｉ）前記第１端部が前記第１端部を貫通する空気流の出口開口を有する、前記第１および第２端部と、
（ｂ）前記第１端部および第２端部の間に延びている、円錐形状のフィルタ媒体の延長部と、
（ｃ）前記エアフィルタカートリッジの前記第１端部に隣接する、開いている第１端部キャップであって、
（ｉ）前記フィルタ媒体が前記開いている第１端部キャップ中に埋め込まれており、
（ｉｉ）前記開いている第１端部キャップの外周は、外側に環状の径方向シールを有する、前記第１端部キャップと、
（ｄ）前記第１端部キャップ中に埋め込まれたプリフォームであって、
（ｉ）前記プリフォームが、前記プリフォームから径方向の外側に延びている径方向リング部分を有し、
（ｉｉ）前記プリフォームが、前記フィルタカートリッジの軸方向長さの少なくとも５％の距離だけ、前記第１端部キャップから軸方向に離れて前記フィルタ媒体に沿って前記フィルタカートリッジの前記第２端部に向かって延びている軸方向遮蔽部を有する、前記プリフォームと、
（ｅ）前記フィルタカートリッジの前記第２端部に隣接する、閉じている第２端部キャップであって、
（ｉ）前記第２端部キャップが前記フィルタカートリッジの内側へと少なくとも１５ｍｍの距離だけ延びている中央突起を含む、前記第２端部キャップと、
を有することを特徴とする、エアフィルタカートリッジ。
【請求項２】
（ａ）前記第１端部キャップと前記第２端部キャップとの間に延びる内部ライナを含むことを特徴とする請求項１に記載のエアフィルタカートリッジ。
【請求項３】
（ａ）前記第１端部キャップと前記第２端部キャップとの間に延びる外部ライナを含み、
（ｉ）前記軸方向遮蔽部が前記外部ライナを取り囲むことを特徴とする請求項１または請求項２に記載のエアフィルタカートリッジ。
【請求項４】
（ａ）前記第２端部キャップ内に埋め込まれており、前記中央突起中に凹部を定める前記中央突起を持つ中央無孔領域を有するプリフォームを備え、
（ｉ）前記第２端部キャップ内に埋め込まれている前記プリフォームが、前記第１端部キャップ内に埋め込まれているプリフォームとは分離していることを特徴とする請求項１乃至請求項３のいずれか一項に記載のエアフィルタカートリッジ。
【請求項５】
（ａ）前記第２端部キャップが、前記フィルタカートリッジの内側へと少なくとも２０ｍｍの距離延びる中央突起を備えることを特徴とする請求項１乃至請求項４のいずれか１項に記載のエアフィルタカートリッジ。
【請求項６】
（ａ）前記第２端部キャップの中央突起が、前記第１端部キャップから離れる軸方向に延びる内側の錐台形状の凹部を含むことを特徴とする請求項１乃至請求項５のいずれか一項に記載のエアフィルタカートリッジ。
【請求項７】
（ａ）前記第２端部キャップ内に埋め込まれ、外部に有孔領域を有するプリフォームを備えることを特徴とする請求項１に記載のエアフィルタカートリッジ。
【請求項８】
（ａ）前記軸方向遮蔽部分が、前記フィルタカートリッジの軸方向長さの少なくとも１５％の長さで延びていることを特徴とする請求項１乃至請求項７のいずれか一項に記載のエアフィルタカートリッジ。
【請求項９】
（ａ）前記プリフォームが、
（ｉ）前記第１端部および第２の端部キャップの間に延び、前記フィルタ媒体を取り囲む外部ライナと、
（ｉｉ）前記軸方向遮蔽部と、
（ｉｉｉ）径方向に外側に少なくとも５ｍｍの距離で突出する径方向突出リングと、
（ｉｖ）前記第２端部キャップ内に埋め込まれ、外部の有孔領域と前記中央突起とを備えるた部分と、
を備えることを特徴とする請求項１に記載のエアフィルタカートリッジ。
【請求項１０】
エアクリーナアセンブリであって、
（ａ）ハウジング本体中に軸方向の空気流出口を有する第１端部と、開いている第２端部と、を有する前記ハウジング本体と、
（ｂ）前記ハウジングの開いている第２端部に固定された整備用カバーと、
（ｃ）前記ハウジング内に動作可能に配置された１次フィルタカートリッジと、を有し、
（ａ）前記ハウジング本体は、
（ｉ）内部に環状の１次フィルタカートリッジのシール面と、
（ｉｉ）前記第１端部に隣接する塵埃落下管と、
（ｉｉｉ）前記第２端部に隣接する接線方向の空気流入口と、を含み、
（ｂ）前記整備用カバーは、
（ｉ）遮蔽およびサイクロン傾斜路構造を有するプレクリーナ構造と、
（ｉｉ）非円形の外周を有する中央突起と、を含み、
（ｃ）前記１次フィルタカートリッジは、
（ｉ）第１外部寸法を有する開いている第１端部と、第２外部寸法を有する閉じている第２端部とを有する円錐形状であって、前記第１外部寸法が前記第２外部寸法よりも大きい、前記円錐形状と、
（ｉｉ）前記ハウジング本体の内側に環状の１次フィルタカートリッジのシール面でシールされる、外側に環状の径方向シール面を有する外周を持つ、前記第１端部にある第１端部キャップと、
（ｉｉｉ）前記第２端部にある閉じている第２端部キャップであって、内側に突出した凹部を有し、非円形の外側の外周を有する前記整備用カバーの中央突起が前記凹部中に延びており、前記凹部は前記フィルタカートリッジの内側へ少なくとも１５ｍｍだけ延びている、前記第２端部キャップと、を有し、
（ｉｖ）前記１次フィルタカートリッジは、前記プレクリーナの前記遮蔽部によって取り囲まれた前記閉じている第２端部キャップを有する前記第２端部に配置されている、
ことを特徴とするエアクリーナアセンブリ。
【請求項１１】
（ａ）開いている端部キャップと、閉じている端部キャップとを有する、円錐形状の安全要素を含み、
（ｉ）前記開いている端部キャップは径方向のシール部を定め、
（ｉｉ）前記ハウジング本体内に動作可能に配置されている前記安全要素は、
（Ａ）前記ハウジング本体内のシールフランジにシールされている前記径方向シールと、
（Ｂ）前記１次フィルタカートリッジによって取り囲まれている前記安全要素と、
を有することを特徴とする請求項１０に記載のエアクリーナアセンブリ。
【請求項１２】
エアフィルタカートリッジであって、
（ａ）対向する、第１端部および第２端部であって、
（ｉ）前記第１端部が前記第１端部を貫通する空気流の出口開口を有する、前記第１および第２端部と、
（ｂ）前記第１端部および第２端部の間に延びている、円錐形状のフィルタ媒体の延長部と、
（ｃ）前記エアフィルタカートリッジの前記第１端部に隣接する、開いている第１端部キャップであって、
（ｉ）前記フィルタ媒体が前記開いている第１端部キャップ中に埋め込まれており、
（ｉｉ）前記開いている第１端部キャップの外周は、外側に環状の径方向シールを有し、前記外側に環状の径方向シールは前記第１端部に隣接する前記フィルタ媒体を取り囲んでいる、前記第１端部キャップと、
（ｄ）前記フィルタカートリッジの前記第２端部に隣接する、閉じている第２端部キャップであって、
（ｉ）前記第２端部キャップが前記エアフィルタカートリッジの内側に延びている中央突起を含み、
（ｉｉ）前記中央突起は、前記第１端部から軸方向に離れる方向に突き出している凹部を定めている、逆の突起を有する中央部分を含む、前記第２端部キャップと、
（ｅ）プリフォームであって、
（ｉ）前記第１端部および第２端部の間に延びていて、前記フィルタ媒体を取り囲んでいる外部ライナであって、（Ａ）前記外部ライナが、前記第１端部キャップに埋め込まれた無孔の軸方向遮蔽領域を含む、前記外部ライナと、
（ｉｉ）前記フィルタカートリッジの第２端部に隣接する前記フィルタ媒体の端部を横切って延びている部分であって、（Ａ）前記部分が外側の有孔領域と、前記中央突起と、前記閉じている第２端部キャップの逆の突起とを含む前記フィルタカートリッジの前記第２端部に隣接する前記フィルタ媒体の端部を横切って延びている、前記部分とを含む、前記プリフォームと、
を有することを特徴とするエアフィルタカートリッジ。
【請求項１３】
エアクリーナアセンブリであって、
（ａ）ハウジング本体中に軸方向の空気流出口を有する第１端部と、開いている第２端部と、を有するハウジング本体を有するハウジングと、
（ｂ）前記ハウジングの開いている端部に固定された整備用カバーであって、非円形の外周を有する中央突起を含む、前記整備用カバーと、
（ｃ）前記ハウジングが空気流入口を含んでおり、
（ｄ）操作可能に前記ハウジング内に配置された請求項１２に記載のエアーフィルターカートリッジであって、
（ｉ）前記ハウジング本体にシールされる、外側に環状の径方向シールと、
（ｉｉ）前記フィルタカートリッジの前記閉じている第２端部キャップ上の前記中央突起中に突き出ている、前記整備用カバー上の前記中央突起と、
（ｉｉｉ）前記整備用カバー上の凹部中に突き出ている前記第２端部キャップ上の前記逆の突起とを有する、前記エアーフィルターカートリッジと、
を有することを特徴とするエアクリーナアセンブリ。